(57)【要約】【課題】レンズシート７が長尺であっても容易にレンズ部６とカバー部材４の孔３との位置合せを行うことができるようにする。【解決手段】複数の孔３が縦方向に配列形成されたカバー部材４と、縦方向に長い基面５から各孔３に対応する複数のレンズ部６が突出され、レンズ部６が孔３から覗くようにカバー部材４の裏面側に取付けられる透明樹脂製のレンズシート７とを備え、レンズシート７の縦方向の略中間部に、横方向へ延びるスリット状の長孔２１を形成し、スリット状の長孔２１の両端部の近傍で且つ両端部から縦方向にずれた両側位置にレンズシート７側縁から内方へ延びる一対の切込み２２をそれぞれ設けるようにしている。【選択図】        図３
2004217062.tif 000002
【特許請求の範囲】
【請求項１】
複数の孔が縦方向に配列形成されたカバー部材と、
縦方向に長い基面から前記各孔に対応する複数のレンズ部が突出され、該レンズ部が孔から覗くように前記カバー部材の裏面側に取付けられる透明樹脂製のレンズシートとを備え、
該レンズシートの縦方向の略中間部に、横方向へ延びるスリット状の長孔を形成し、
該スリット状の長孔の両端部の近傍で且つ両端部から縦方向にずれた両側位置にレンズシート側縁から内方へ延びる一対の切込みをそれぞれ設けたことを特徴とする表示板。
【請求項２】
前記スリット状の長孔の横方向の略中間部が、縦方向の段差形状を呈していることを特徴とする請求項１記載の表示板。
【発明の詳細な説明】
【０００１】
【発明の属する技術分野】
この発明は、表示板に関するものである。
【０００２】
【従来の技術】
自動車などの車両には、例えばセンターコンソール部分に、Ａ／Ｔシフトレンジを表示する表示板を備えたものがある。
【０００３】
このような表示板には、従来、複数の孔が縦方向に配列形成されたＡ／Ｔシフトフィニッシャーなどのカバー部材と、縦方向に長い基面から上記の各孔に対応する複数のレンズ部が突出され、このレンズ部が孔から覗くように上記のカバー部材の裏面側に取付けられる透明樹脂製のレンズシートとを備えたものがある（例えば、特許文献１参照）。
【０００４】
【特許文献１】
特開平０５−２０１２６５号公報
【０００５】
【発明が解決しようとする課題】
しかしながら、上記文献１に記載された表示板では、縦方向の長さ寸法が大きいレンズシートの場合、誤差などによりレンズ部とカバー部材の孔との位置合せが困難になるという問題があった。この誤差の問題は、レンズシートが長尺になる程顕著となる。
【０００６】
そこで、本発明の目的は、上記の問題点を解消し、レンズシートが長尺であっても容易にレンズ部とカバー部材の孔との位置合せを行うことのできる表示板を提供することにある。
【０００７】
【課題を解決するための手段】
上記課題を解決するために、請求項１に記載された発明では、複数の孔が縦方向に配列形成されたカバー部材と、縦方向に長い基面から前記各孔に対応する複数のレンズ部が突出され、該レンズ部が孔から覗くように前記カバー部材の裏面側に取付けられる透明樹脂製のレンズシートとを備え、該レンズシートの縦方向の略中間部に、横方向へ延びるスリット状の長孔を形成し、該スリット状の長孔の両端部の近傍で且つ両端部から縦方向にずれた両側位置にレンズシート側縁から内方へ延びる一対の切込みをそれぞれ設けた表示板を特徴としている。
【０００８】
このように構成された請求項１にかかる発明によれば、レンズシートの縦方向の略中間部に、横方向へ延びるスリット状の長孔を形成し、スリット状の長孔の両端部の近傍で且つ両端部から縦方向にずれた両側位置にレンズシート側縁から内方へ延びる一対の切込みをそれぞれ設けることにより、レンズシートを縦方向および横方向へ僅かに変形することが可能となるため、レンズシートが長尺であっても容易にレンズ部とカバー部材の孔との位置合せを行うことができる。
【０００９】
請求項２に記載された発明では、前記スリット状の長孔の横方向の略中間部が、縦方向の段差形状を呈している請求項１記載の表示板を特徴としている。
【００１０】
このように構成された請求項２にかかる発明によれば、スリット状の長孔の横方向の略中間部が縦方向の段差形状を呈していることにより、レンズ部を避けてスリット状の長孔を形成することが可能となる。これにより、スリット状の長孔に対する設計自由度を増すことができる。
【００１１】
【発明の実施の形態】
以下、本発明を具体化した実施の形態について、図示例と共に説明する。
【００１２】
図１〜図３は、この発明の実施の形態を示すものである。
【００１３】
まず、構成を説明すると、図１に示すように、自動車などの車両は、例えばセンターコンソール１の部分に、Ａ／Ｔシフトレンジを表示する表示板２を備えている。
【００１４】
このような表示板２は、図２に示すように、複数の孔３が縦方向に配列形成されたＡ／Ｔシフトフィニッシャーなどのカバー部材４と、縦方向に長い基面５から上記の各孔３に対応する複数のレンズ部６が突出され、このレンズ部６が孔３から覗くように上記のカバー部材４の裏面側に取付けられる透明樹脂製のレンズシート７とを備えている。なお、この実施の形態では、各孔３は２列に配列形成されている。これに伴い、レンズ部６も２列に配列形成されている。具体的には、レンズ部６は、「Ｐ」「Ｒ」「Ｎ」「Ｄ」「１」の各レンジを表示するようにした列（メイン配列）と、「３」「２」の各レンジを表示するようにした列（サブ配列）とを備えている。そして、メイン配列における「Ｐ」「Ｒ」「Ｎ」の各レンジを表示するレンズ部６の側方にはサブ配列のレンズ部６が存在しないように構成されている。また、メイン配列における「Ｄ」レンジを表示するレンズ部６の側方にはサブ配列の「３」レンジを表示するレンズ部６が存在するよう構成されている。そして、メイン配列における「１」レンジを表示するレンズ部６は「Ｄ」レンジを表示するレンズ部６から離れた位置に設けられており、これにより、サブ配列の「２」レンジを表示するレンズ部６の側方にはメイン配列のレンズ部６が存在せず、メイン配列の「１」レンジを表示するレンズ部６の側方にはサブ配列のレンズ部６が存在しないように構成されている。
【００１５】
また、表示板２は、レンズシート７を覆うようにカバー部材４の裏面側に取付けられるランプケース８を備えている。このランプケース８には光源９が取付けられる。更に、表示板２には、Ａ／Ｔシフト路１０が形成され、このＡ／Ｔシフト路１０の縁部を形成するエスカッション部材１１がカバー部材４の裏面側に取付けられるようになっている。
【００１６】
表示板２は平面視略矩形状を呈しており、表示板２の４つのコーナー部の近傍からは裏面側へ向けてリブ１２がそれぞれ立設されている。このリブ１２に、金属製のクリップ１３を取付けて、センターコンソール１の取付開口に嵌め込みによりワンタッチ挿着し得るように構成されている。
【００１７】
表示板２の両側部には、サイレンサーテープなどの防音材１４を貼付けるようになされている。
【００１８】
この実施の形態では、図３に示すように、レンズシート７の縦方向の略中間部に、横方向へ延びるスリット状の長孔２１を形成し、スリット状の長孔２１の両端部の近傍で且つ両端部から縦方向にずれた両側位置にレンズシート７側縁から内方へ延びる一対の切込み２２をそれぞれ設けている。
【００１９】
そして、スリット状の長孔２１の横方向の略中間部が、縦方向の段差形状を呈している（段差部２３）。
【００２０】
具体的には、スリット状の長孔２１はメイン配列における「Ｄ」レンジを表示するレンズ部６と「Ｎ」レンジを表示するレンズ部６との間の位置で且つ、サブ配列の「３」レンジを表示するレンズ部６の図３中上方（「２」レンジを表示するレンズ部６とは反対側）に形成されている。また、段差部２３は、メイン配列とサブ配列との間の位置に形成されており、スリット状の長孔２１がサブ配列の「３」レンジを表示するレンズ部６から若干縦方向に離れた位置に形成されるようにしている。
【００２１】
また、切込み２２は、メイン配列側が浅く、サブ配列側が深くなるように形成されている。
【００２２】
次に、この実施の形態の作用について説明する。
【００２３】
この実施の形態によれば、レンズシート７の縦方向の略中間部に、横方向へ延びるスリット状の長孔２１を形成し、スリット状の長孔２１の両端部の近傍で且つ両端部から縦方向にずれた両側位置にレンズシート７側縁から内方へ延びる一対の切込み２２をそれぞれ設けることにより、レンズシート７を縦方向および横方向へ僅かに変形することが可能となるため、レンズシート７が長尺であっても容易にレンズ部６とカバー部材４の孔３との位置合せを行うことができる。よって、レンズシート７が長尺になる程顕著となる製造誤差などの影響を解消することができる。
【００２４】
また、スリット状の長孔２１の横方向の略中間部が縦方向の段差形状を呈していることにより、レンズ部６が複雑に配列されていても、これを避けてスリット状の長孔２１を形成することが可能となる。これにより、スリット状の長孔２１に対する設計自由度を増すことができる。
【００２５】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００２６】
【発明の効果】
以上説明してきたように、請求項１の発明によれば、レンズシートの縦方向の略中間部に、横方向へ延びるスリット状の長孔を形成し、スリット状の長孔の両端部の近傍で且つ両端部から縦方向にずれた両側位置にレンズシート側縁から内方へ延びる一対の切込みをそれぞれ設けることにより、レンズシートを縦方向および横方向へ僅かに変形することが可能となるため、レンズシートが長尺であっても容易にレンズ部とカバー部材の孔との位置合せを行うことができる。
【００２７】
請求項２の発明によれば、スリット状の長孔の横方向の略中間部が縦方向の段差形状を呈していることにより、レンズ部を避けてスリット状の長孔を形成することが可能となる。これにより、スリット状の長孔に対する設計自由度を増すことができる、という実用上有益な効果を発揮し得る。
【図面の簡単な説明】
【図１】本発明の実施の形態にかかるセンターコンソールの斜視図である。
【図２】図１の表示板の分解斜視図である。
【図３】図２のレンズシートの平面図である。
【符号の説明】
２  表示板
３    孔
４    カバー部材
５    基面
６    レンズ部
７    レンズシート
２１  スリット状の長孔
２２  切込み
２３  段差部
【図１】
2004217062.tif 000003
【図２】
2004217062.tif 000004
【図３】
2004217062.tif 000005